(57)【要約】【課題】取り付けのときに三端子コンデンサが回転した場合であっても、信号パターン等とグランドパターンとが短絡することを防止する。【解決手段】表面実装型の三端子コンデンサ３の端子が接続される４つのパッド２ａ１，２ｂ１が十字配置されるプリント配線板２であって、少なくともいずれかのパッド２ａ１，２ｂ１は、隣のパッドに近い角部２ａ２が切欠きされた平面視形状とされている。【選択図】図１
2013165233.tif 000002
【特許請求の範囲】
【請求項１】
表面実装型の三端子コンデンサの端子が接続される４つのパッドが十字配置されるプリント配線板であって、
少なくともいずれかのパッドは、隣のパッドに近い角部が切欠きされた平面視形状とされていることを特徴とするプリント配線板。
【請求項２】
前記パッドとしてグランドパターンに設けられるグランドパターン用パッドを備え、
当該グランドパターン用パッドが、隣のパッドに近い角部が切欠きされた平面視形状とされている
ことを特徴とする請求項１記載のプリント配線板。
【請求項３】
表面実装型の三端子コンデンサの端子が接続される４つのパッドが十字配置されるプリント配線板と、前記プリント配線板に実装される三端子コンデンサとを備える電子基板であって、
前記プリント配線板として、請求項１または２記載のプリント配線板を備えることを特徴とする電子基板。
【発明の詳細な説明】
【技術分野】
【０００１】
本発明は、プリント配線板及び電子基板に関するものである。
【背景技術】
【０００２】
特許文献１に示すように、従来から、信号パターンや電源パターン（以下、信号パターン等と称する）に入り込んだ高周波のノイズを除去する電子部品として、２つの入出力端子とこれらの入出力端子の間に設けられたグランド端子とを備える表面実装型の三端子コンデンサが用いられている。また、三端子コンデンサのなかには、グランド端子が２つに分離されて設けられているもの等もある。
【０００３】
このような三端子コンデンサが実装されるプリント配線板には、三端子コンデンサの端子に合わせて４つのパッドが設けられている。これらの４つのパッドのうち、２つが信号パターン等に設けられており、残りの２つがグランドパターンに設けられている。このような４つのパッドは、信号パターン等に設けられた２つが対向し、グランドパターンに設けられた２つが対向するようにして十字配置されている。
【先行技術文献】
【特許文献】
【０００４】
【特許文献１】特開２００１−１５８８５号公報
【発明の概要】
【発明が解決しようとする課題】
【０００５】
ところで、表面実装型の三端子コンデンサは、いわゆるリフロー方式のハンダ付けによってプリント配線板に実装される。このとき、取り付け誤差や、溶融されたハンダの流動によって、三端子コンデンサの配置位置が正しい位置から回転方向にずれることがある。このように三端子コンデンサが本来の位置から回転してしまうと、三端子コンデンサの端子（入出力端子あるいはグランド端子）が２つのパッドにブリッジしてしまい、信号パターン等とグランドパターンとが短絡してしまう。
【０００６】
本発明は、上述する問題点に鑑みてなされたもので、取り付けのときに三端子コンデンサが回転した場合であっても、信号パターン等とグランドパターンとが短絡することを防止することを目的とする。
【課題を解決するための手段】
【０００７】
本発明は、上記課題を解決するための手段として、以下の構成を採用する。
【０００８】
第１の発明は、表面実装型の三端子コンデンサの端子が接続される４つのパッドが十字配置されるプリント配線板であって、少なくともいずれかのパッドは、隣のパッドに近い角部が切欠きされた平面視形状とされているという構成を採用する。
【０００９】
第２の発明は、上記第１の発明において、上記パッドとしてグランドパターンに設けられるグランドパターン用パッドを備え、当該グランドパターン用パッドが、隣のパッドに近い角部が切欠きされた平面視形状とされているという構成を採用する。
【００１０】
第３の発明は、表面実装型の三端子コンデンサの端子が接続される４つのパッドが十字配置されるプリント配線板と、上記プリント配線板に実装される三端子コンデンサとを備える電子基板であって、上記プリント配線板として、上記第１または第２の発明であるプリント配線板を備えるという構成を採用する。
【発明の効果】
【００１１】
本発明のプリント配線板によれば、三端子コンデンサの端子が接続されるパッドの形状が、隣のパッドに近い角部を切欠きされた形状とされている。このため、隣合うパッドの離間距離がより長くなる。したがって、三端子コンデンサを取り付けるときに、三端子コンデンサの配置位置が回転方向にずれた場合であっても、三端子コンデンサの端子が隣合うパッドの両方に接触することを防止することができる。よって、本発明のプリント配線板によれば、取り付けのときに三端子コンデンサが回転した場合であっても、信号パターン等とグランドパターンとが短絡することを防止することができる。
【図面の簡単な説明】
【００１２】
【図１】本発明の一実施形態における電子基板の一部を拡大した拡大平面図である。
【図２】本発明の一実施形態における電子基板が備える三端子コンデンサの平面図である。
【図３】本発明の一実施形態における電子基板が備えるプリント配線板の変形例を示す拡大平面図である。
【図４】本発明の一実施形態における電子基板が備えるプリント配線板の変形例を示す拡大平面図である。
【発明を実施するための形態】
【００１３】
以下、図面を参照して、本発明に係るプリント配線板配線電子基板の一実施形態について説明する。なお、以下の図面において、各部材を認識可能な大きさとするために、各部材の縮尺を適宜変更している。
【００１４】
図１は、本実施形態の電子基板１の一部を拡大した拡大平面図である。この図に示すように、本実施形態の電子基板１は、プリント配線板２と、三端子コンデンサ３とを備えている。なお、図１において三端子コンデンサ３は、破線にて示している。また、図１においては、電子部品として三端子コンデンサ３のみが図示されているが、電子基板１は、三端子コンデンサ３の他にもプリント配線板２に実装される電子部品（ＩＣ等）を備えている。
【００１５】
プリント配線板２は、エポキシ樹脂等からなる絶縁層に対して、金属配線層が複数層に亘って形成された多層基板である。本実施形態において、このプリント配線板２は、表面に設けられる金属配線層として、グランドパターン２ａと、信号パターン２ｂとを備えている。
【００１６】
グランドパターン２ａは、例えば、本実施形態の電子基板１を収容する金属ケースに接続されることで接地される配線パターンであり、抵抗値を下げるために信号パターン２ｂよりも幅広に設定されている。このグランドパターン２ａは、複数のビア２ｃを介して、不図示の中間層あるいは裏面層（金属配線層）と接続されている。また、グランドパターン２ａ上にはパッドの領域を避けてレジスト膜が形成されている。このようなグランドパターン２ａ上のレジスト膜が形成されていない領域は、グランドパターン２ａと三端子コンデンサ３とを接続するためのパッドとして用いられる。以下、この領域をグランドパターン用パッド２ａ１と称する。
【００１７】
グランドパターン用パッド２ａ１は、三端子コンデンサ３のグランド端子３ｃに合わせて２箇所に設けられている。これらのグランドパターン用パッド２ａ１は、図１に示すように、平面視形状が、隣のパッド（後に説明する信号パターン用パッド２ｂ１）に近い角部２ａ２が切欠きされた形状とされている。各グランドパターン用パッド２ａ１は、２つの角部２ａ２が切欠きされた形状とされており、これによって平面視形状が、上底と下底とを繋ぐ斜辺が信号パターン用パッド２ｂ１に向けられた台形形状となっている。なお、図１に示すように、２つのグランドパターン用パッド２ａ１は、三端子コンデンサ３を挟んで左右対称な形状とされている。
【００１８】
信号パターン２ｂは、例えば、三端子コンデンサ３の入出力端子（入力端子３ａ及び出力端子３ｂ）に接続される配線パターンである。この信号パターン２ｂ上にはパッドの領域を避けてレジスト膜が形成されている。このような信号パターン２ｂ上のレジスト膜が形成されていない領域は、信号パターン２ｂと三端子コンデンサ３とを接続するためのパッドとして用いられる。以下、この領域を信号パターン用パッド２ｂ１と称する。
【００１９】
信号パターン用パッド２ｂ１は、三端子コンデンサ３の入出力端子（入力端子３ａ及び出力端子３ｂ）に合わせて２箇所に設けられている。これらの信号パターン用パッド２ｂ１は、図１に示すように、平面視形状が略正方形形状とされている。これら２つの信号パターン用パッド２ｂ１は、三端子コンデンサ３を挟んで上下対称な形状とされている。
【００２０】
このように本実施形態の電子基板１においてプリント配線板２は、４つのパッド（２つのグランドパターン用パッド２ａ１と、２つの信号パターン用パッド２ｂ１）を備えている。これらのパッドは、図１に示すように、２つのグランドパターン用パッド２ａ１同士が対向し、２つの信号パターン用パッド２ｂ１同士が対向するようにして、十字配置されている。なお、これらの十字配置された４つのパッドは、十字配置の中心を基準として、全体として点対称な形状とされている。
【００２１】
三端子コンデンサ３は、信号パターン２ｂに入り込んだ高周波ノイズを除去するための表面実装型の電子部品であり、入力端子３ａと、出力端子３ｂと、２つのグランド端子３ｃとを備えている。三端子コンデンサ３は、平面視形状が長方形形状とされており、入出力端子（入力端子３ａ及び出力端子３ｂ）が三端子コンデンサ３の短片の各々に設けられ、グランド端子３ｃが三端子コンデンサ３の長辺の各々に設けられている。
【００２２】
このような三端子コンデンサ３は、入出力端子（入力端子３ａ及び出力端子３ｂ）が信号パターン用パッド２ｂ１にハンダ付けされ、グランド端子３ｃがグランドパターン用パッド２ａ１にハンダ付けされることで、プリント配線板２に実装されている。
【００２３】
以上のような本実施形態における電子基板１及びプリント配線板２においては、三端子コンデンサ３のグランド端子３ｃが接続されるグランドパターン用パッド２ａ１の形状が、隣のパッド（信号パターン用パッド２ｂ１）に近い角部２ａ２を切欠きされた形状とされている。このため、隣合うグランドパターン用パッド２ａ１と信号パターン用パッド２ｂ１との離間距離が、角部２ａ２が切りかかれない場合よりもより長くなる。したがって、三端子コンデンサ３を取り付けるときに、三端子コンデンサ３の配置位置が回転方向にずれた場合であっても、三端子コンデンサ３の端子（入力端子３ａ、出力端子３ｂ及びグランド端子３ｃ）が隣合うグランドパターン用パッド２ａ１と信号パターン用パッド２ｂ１との両方に接触することを防止することができる。よって、本実施形態における電子基板１及びプリント配線板２によれば、取り付けのときに三端子コンデンサ３が回転した場合であっても、信号パターンとグランドパターンとが短絡することを防止することができる。
【００２４】
また、本実施形態における電子基板１及びプリント配線板２においては、信号パターン２ｂよりも幅広のグランドパターン２ａに設けられたパッド（グランドパターン用パッド２ａ１）の角部２ａ２が切欠きされている。このため、幅が狭い信号パターン２ｂに設けられたパッド（信号パターン用パッド２ｂ１）の角部を切欠きする場合と比較して、容易に角部の切欠きを形成することができる。
【００２５】
また、本実施形態の電子基板１においてプリント配線板２においては、４つのパッド（２つのグランドパターン用パッド２ａ１と、２つの信号パターン用パッド２ｂ１）が、十字配置の中心を基準として、全体として点対称な形状となるように配置及び形状設定されている。このため、三端子コンデンサ３をリフロー方式のハンダ付けにてプリント配線板２に実装するときに、溶融したハンダから三端子コンデンサ３が受ける力が平面視において左右方向及び上下方向で均等となり、三端子コンデンサ３を回転させようとする力が偏ることを防止することができる。よって、三端子コンデンサ３が平面視において回転することを防止することができる。
【００２６】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００２７】
例えば、上記実施形態においては、グランドパターン用パッド２ａ１の平面視形状が台形形状となるように切欠きされた構成について説明した。しかしながら、本発明はこれに限定されるものではなく、図３（ａ）に示すように、平面視形状が半円形状となるように、グランドパターン用パッド２ａ１が切欠きされた構成を採用することも可能である。また、図３（ｂ）に示すように、平面視形状が円弧状に湾曲された斜辺を有する略台形形状となるように、グランドパターン用パッド２ａ１が切欠きされた構成を採用することも可能である。また、図３（ｃ）に示すように、平面視形状がＴ字型となるように、グランドパターン用パッド２ａ１が切欠きされた構成を採用することも可能である。
【００２８】
また、上記実施形態においては、グランドパターン用パッド２ａ１の角部２ａ２が切欠きされた構成について説明した。しかしながら、本発明はこれに限定されるものではなく、例えば、図４（ａ）に示すように、信号パターン用パッド２ｂ１の角部が切欠きされた構成や、図４（ｂ）に示すように、グランドパターン用パッド２ａ１及び信号パターン用パッド２ｂ１の両方の角部が切欠きされた構成を採用することも可能である。
【符号の説明】
【００２９】
１……電子基板、２……プリント配線板、２ａ……グランドパターン、２ａ１……グランドパターン用パッド（パッド）、２ａ２……角部、２ｂ……信号パターン、２ｂ１……信号パターン用パッド（パッド）、２ｃ……ビア、３……三端子コンデンサ、３ａ……入力端子、３ｂ……出力端子、３ｃ……グランド端子
【図１】
2013165233.tif 000003
【図２】
2013165233.tif 000004
【図３】
2013165233.tif 000005
【図４】
2013165233.tif 000006